(57)【特許請求の範囲】
【請求項１】
先羽根群と後羽根群とが、二つの地板を中間板で仕切って形成した二つの羽根室内に別々に配置されており、各羽根群は、露光開口の側方領域で前記二つの地板の一方に枢着された二つのアームと、前記二つのアームにリベット部材の連結軸を用いて順に枢支された複数枚の羽根とで構成されており、少なくとも一方の羽根群は、前記二つのアームが前記複数枚の羽根よりもその羽根群の羽根室を形成している地板側に配置されていて前記連結軸の頭部を突き出しており、その羽根群の羽根室を形成している地板は、合成樹脂製であって、その羽根群の作動時において前記二つのアームの少なくとも一つに摺接し得る抑制条を、該アームの回転中心とは同心でない円弧状に肉厚部として一体成形していることを特徴とするカメラ用フォーカルプレンシャッタ。
【請求項２】
前記抑制条が、前記二つのアームの枢着されている露光開口の側方領域に一つ以上設けられていて、前記一方の羽根群が露光開口を覆っていく少なくとも最終作動領域において、その作動方向へ向けて、肉厚が徐々に厚くなるように成形されていることを特徴とする請求項１に記載のカメラ用フォーカルプレンシャッタ。
【請求項３】
先羽根群と後羽根群とが、二つの地板を中間板で仕切って形成した二つの羽根室内に別々に配置されており、各羽根群は、露光開口の側方領域で前記二つの地板の一方に枢着された二つのアームと、前記二つのアームにリベット部材の連結軸を用いて順に枢支された複数枚の羽根とで構成されており、少なくとも一方の羽根群の羽根室を形成している地板が合成樹脂製であって、その地板には、少なくともその地板側にある羽根が作動時において摺接し得る抑制条を、その作動につれてその羽根の異なる部位と摺接し得る形状に肉厚部として一体成形していることを特徴とするカメラ用フォーカルプレンシャッタ。
【請求項４】
前記一方の羽根群が先羽根群であり、前記抑制条が、前記二つのアームの枢着されている露光開口の側方領域と、前記複数枚の羽根が重畳されて格納される領域との少なくとも一方に一つ以上設けられていて、それらのうちの少なくとも一つの抑制条は、露光作動の少なくとも最終領域において、その作動方向へ向けて、肉厚が徐々に厚くなるように成形されていることを特徴とする請求項１又は３に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、両方の羽根群のスリット形成羽根によって形成されたスリットにより、結像面を露光するようにしたカメラ用のフォーカルプレンシャッタに関する。
【０００２】
【従来の技術】
最近のフォーカルプレンシャッタは、その殆どのものが、二つの地板間の大部分を中間板で仕切ることによって二つの羽根室を構成し、それらの羽根室に先羽根群と後羽根群を配置するようにしている。また、各羽根群は略同じような構成をしており、基本的には、露光開口の一方の側方位置で一方の地板に枢着された二つのアームと、横長形状をしていて二つずつの連結軸によって上記の二つのアームの長さ方向に順に枢支された複数枚の羽根とで構成されていて、それらの複数枚の羽根のうち、アームの最先端に枢支された羽根をスリット形成羽根としている。また、例外的には、アームを三つ以上にしたものも知られているが、その場合であっても、１枚の羽根は、それらのうちの何れか二つのアームに対して枢支されるようにしている。
【０００３】
また、二つのアームに対する各羽根の具体的な枢支構成としては、一般的には、アームと羽根とを重ねておいて、それらに形成されている孔に対して、リベット部品である上記連結軸をアーム側から挿入し、その挿入端を羽根に対してかしめるようにしている。そして、各羽根群を各羽根室に配置するに際しては、複数枚の羽根を中間板側とし、アームを地板側とするのが普通であるため、上記の連結軸の頭部は、地板側に突き出ていることになる。また、各羽根群は、そのような構成の枢支部を沢山有していて、且つそれらの孔と軸との嵌合部には夫々公差が設けられていることから、そのまま各羽根群を作動させた場合には、それらの嵌合部のガタツキが大きな要因となって、複雑な作動を引き起こしてしまい、スリット形成羽根による適正な露光制御が行えなくなったり、羽根群が破損してしまうようなことになってしまう。
【０００４】
そこで、そのような事態を解決するためには、薄い材料で製作されている羽根やアームを、作動中に如何にして光軸の軸方向へ変位，変形させないようにするかということと、露光作動の停止時における衝撃を如何に小さくするかということが重要なポイントになるが、それらのことは、一つの対策案だけでは実際上解決することが不可能なことから、複数の種類の対策を複合的に採用して解決するようにしているのが実情である。本発明は、それらの対策のうち、羽根やアームを、作動中に光軸の軸方向へ変位，変形させないようにするために、合成樹脂製の地板に工夫を凝らすようにした対策案の改良に関するものである。
【０００５】
ところで、周知のように、二つの地板は、略中央部に形成された開口部を、中間板に形成された開口部と重ねるようにして配置されており、それらの開口部の少なくとも一つによって、方形をした露光開口の形状を規制するようにしている。そして、カメラの通常の撮影姿勢においては、その露光開口は、横長の長方形をしているのが普通であって、上記した各羽根群のアームは、何れも露光開口の一方の短辺の側方位置に枢着されている。
【０００６】
そのため、地板と中間板の間隔は、その一方の短辺の側方位置においては、複数枚の羽根の厚さと、アームの厚さと、連結軸の頭部の突出し量との合計の寸法が少なくとも必要となるが、他方の短辺の側方位置においては、アームが存在しないことから、アームの厚さと、連結軸の頭部の突出し量の分だけ余分な間隔が空くことになる。そして、その余分な間隔が空くことによって、羽根の先端部（アームに対する枢支部の反対側の端部）が光軸の軸方向へ変位し易くなっているので、その余分な間隔を極力埋めるために、合成樹脂製の地板の、羽根の先端部と摺接する部位を肉厚に形成した構成が、特開平１０−１３３２５５号公報に記載されている。
【０００７】
【発明が解決しようとする課題】
ところで、光軸の軸方向への羽根群の変位，変形を抑制するという目的だけから考えると、上記の公報において羽根の先端部の作動領域に形成されているような肉厚部は、本来であれば、露光開口の二つの長辺の外側にも、羽根と摺接し得るようにして形成するのが好ましい。しかしながら、摺接面を余り大きくすると、逆に、羽根群の作動速度に影響が出てしまうので、そのような目的で肉厚部を形成する場合には、略羽根の作動方向に沿うようにして、肉厚部をレール状に形成することが考えられる。
【０００８】
他方、アームを枢着している側方領域においても、中間板と地板との間隔を極力小さくして、光軸の軸方向への羽根群の変位，変形を抑制できるようにすることが好ましい。しかし、そのようにすると、撮影回数を重ねるにしたがい、金属製の連結軸の頭部が合成樹脂製の地板面を削って行き、当初の作動速度が得られなくなってしまうようになる。従って、この領域では、地板は、極力、連結軸の頭部に摺接させず、肉厚部を形成して、アームを摺接させ得るようにするのがよい。そして、その場合には、肉厚部を、アームの枢着軸、即ちアームの回転中心を中心にして、円弧状に形成するのが普通の考えである。尚、目的は全く異なっていて、肉厚部を、アームの変位，変形を抑制するために、アームと摺接し得るように形成したものではないが、アームの回転中心を中心にして、合成樹脂製の地板に円弧状の肉厚部を形成した場合の例が、特開平７−３２５３３４号公報に記載されている。
【０００９】
このように、光軸の軸方向への羽根群の変位，変形を抑制する目的で、露光開口の二つの長辺の外側の領域に、羽根と摺接し得るようにして肉厚部を形成する場合にも、また、露光開口のアームを枢着している側方領域に、アームと摺接し得るようにして肉厚部を形成する場合にも、それらの肉厚部の形状は、一般的に考えると、羽根やアームの作動軌跡に沿って、レール状に形成するのが普通となる。そして、そのようにすることによって、一応の目的は達成することが可能となる。しかしながら、そのように肉厚部を形成した場合には、常に、羽根やアームの特定の部位だけが肉厚部に摺接することと、肉厚部が比較的細くレール状に形成されていることから、羽根やアームの摺接面に傷が付き易くなるという問題点がある。
【００１０】
本発明は、このような問題点を解決するためになされたものであり、その目的とするところは、光軸の軸方向への羽根群の変位，変形を抑制するために、露光開口の二つの長辺の外側の領域に、羽根と摺接し得るようにして肉厚部をレール状に形成しても、また、露光開口のアームを枢着している側方領域に、アームと摺接し得るようにして肉厚部をレール状に形成しても、羽根群の作動に伴って、肉厚部に対する羽根やアームの摺接部位が変わるようにしたカメラ用フォーカルプレンシャッタを提供することである。
【００１１】
【課題を解決するための手段】
上記の目的を達成するために、請求項１に記載のカメラ用フォーカルプレンシャッタは、先羽根群と後羽根群とが、二つの地板を中間板で仕切って形成した二つの羽根室内に別々に配置されており、各羽根群は、露光開口の側方領域で前記二つの地板の一方に枢着された二つのアームと、前記二つのアームにリベット部材の連結軸を用いて順に枢支された複数枚の羽根とで構成されており、少なくとも一方の羽根群は、前記二つのアームが前記複数枚の羽根よりもその羽根群の羽根室を形成している地板側に配置されていて前記連結軸の頭部を突き出しており、その羽根群の羽根室を形成している地板は、合成樹脂製であって、その羽根群の作動時において前記二つのアームの少なくとも一つに摺接し得る抑制条を、該アームの回転中心とは同心でない円弧状に肉厚部として一体成形しているようにする。
その場合、前記抑制条が、前記二つのアームの枢着されている露光開口の側方領域に一つ以上設けられていて、前記一方の羽根群が露光開口を覆っていく少なくとも最終作動領域において、その作動方向へ向けて、肉厚が徐々に厚くなるように成形されているようにすると、一層その羽根群の作動が安定し、しかも、露光開口を覆っているときの漏光防止も好適に行なえるようになるほか、その羽根群が後羽根群の場合には、露光作動の最終段階における制動が好適に行なえるようになる。
また、上記の目的を達成するために、請求項３に記載のカメラ用フォーカルプレンシャッタは、先羽根群と後羽根群とが、二つの地板を中間板で仕切って形成した二つの羽根室内に別々に配置されており、各羽根群は、露光開口の側方領域で前記二つの地板の一方に枢着された二つのアームと、前記二つのアームにリベット部材の連結軸を用いて順に枢支された複数枚の羽根とで構成されており、少なくとも一方の羽根群の羽根室を形成している地板が合成樹脂製であって、その地板には、少なくともその地板側にある羽根が作動時において摺接し得る抑制条を、その作動につれてその羽根の異なる部位と摺接し得る形状に肉厚部として一体成形しているようにする。
更に、請求項１又は３に記載のカメラ用フォーカルプレンシャッタにおいて、前記一方の羽根群が先羽根群であり、前記抑制条が、前記二つのアームの枢着されている露光開口の側方領域と、前記複数枚の羽根が重畳されて格納される領域との少なくとも一方に一つ以上設けられていて、それらのうちの少なくとも一つの抑制条は、露光作動の少なくとも最終領域において、その作動方向へ向けて、肉厚が徐々に厚くなるように成形されているようにすると、露光作動時における先羽根群の制動が好適に行えるようになる。
【００１２】
【発明の実施の形態】
本発明の実施の形態を、図１〜図６に示した実施例によって説明する。尚、図１〜図６は、何れもカメラに組み込まれたとき被写体側から視た平面図であり、図１は後羽根群の露光作動終了直後の状態を示したものであり、図２は先羽根群の露光作動終了直後の状態を示したものである。また、図３は後羽根群のセット状態を示したものであり、図４は先羽根群のセット状態を示したものである。更に、図５は先羽根群の露光作動の途中の状態を示したものであり、図６は後羽根群の露光作動の途中の状態を示したものである。
【００１３】
先ず、実施例の構成から説明するが、説明の便宜上、各構成部材の被写体側、即ちレンズ側を表面側と称し、結像面側を背面側と称することにする。図１は、主に、本実施例のシャッタ地板１と後羽根群を示したものであって、構成を理解し易くするために、シャッタ地板１の隠れた部位の形状は破線で示し、後羽根群を構成する部材の隠れた部位は一点鎖線で示している。このシャッタ地板１は合成樹脂製であって、略中央部には開口部１ａが形成されており、その左側の側方領域には二つの円弧状をした長孔１ｂ，１ｃが形成されている。そして、長孔１ｂ，１ｃの下端部には、周知のようにして、平面形状がＣ字状をしているブチルゴム製の緩衝部材２，３が取り付けられている。
【００１４】
シャッタ地板１の四隅には孔１ｄ，１ｅ，１ｆ，１ｇ，１ｈが形成されている。これらのうち孔１ｄ，１ｅ，１ｆはカメラ本体への取付け用の孔である。また、シャッタ地板１の右側の上下位置には、係合部１ｉ，１ｊが形成されている。更に、シャッタ地板１の表面側には軸１ｋ，１ｍが立設されている。また、これらの軸１ｋ，１ｍと同心的に、背面側にも軸が立設されているが、特に混乱が生じるとは思えないので、それらの軸についても、表面側の軸と同じ符号で説明することにする。尚、軸１ｋ，１ｍの表面側には、先羽根用駆動部材と後羽根用駆動部材が回転可能に取り付けられていて、夫々の駆動ピンが長孔１ｂ，１ｃを貫通し、背面側に突き出ているが、それらの構成は周知であるため図示を省略してある。
【００１５】
このシャッタ地板１の背面側には、周知のように開口部１ａを囲むようにして、座ぐり部１ｎが形成されている。また、開口部１ａの右側の領域は肉厚部１ｐとして形成されており、背面側の基準面よりも隆起させた面を有している。シャッタ地板１の左上隅には、ねじ孔を有する筒状の軸１ｑと、間座部１ｒが形成されており、左下隅にも、ねじ孔を有する筒状の軸１ｓと、間座部１ｔが形成されている。また、開口部１ａの左側の位置には、軸１ｕ，１ｖが立設され、レール状の抑制条１ｗが一体成形によって肉厚部として形成されている。更に、シャッタ地板１には、この抑制条１ｗのほかにも、三つの抑制条１ｘ，１ｙ，１ｚが、同様にして形成されている。
【００１６】
このように、シャッタ地板１に形成された四つの抑制条のうち、三つの抑制条１ｗ，１ｘ，１ｙは円弧状をしているが、それらは、何れも、軸１ｍ，１ｖを中心にした円弧とはならないように形成されている。また、図１では理解することができないが、抑制条１ｗは、少なくとも図１における下方の部位が、上方から下方に向けて肉厚が徐々に厚くなるように形成されており、且つ上方の端部の面は徐々に薄くなり、シャッタ地板１の背面側の基準面と一致するようになっている。更に、他の三つの抑制条１ｘ，１ｙ，１ｚは、夫々の下方部の面が局部的に斜面となっていて、その下端面は、シャッタ地板１の背面側の基準面と一致するようになっている。また、そのうち抑制条１ｚは、それ以外の全体の厚さが、肉厚部１ｐの厚さと略同じになっている。
【００１７】
以上の説明で、シャッタ地板１の構成説明を終わり、以後は、シャッタ地板１の背面側に取り付けられる部材と、その取付け構成について説明することにするが、その前に、周知ではあるが、その背面側の全体構成について、簡単に説明をしておく。シャッタ地板１の背面側には、夫々、所定の間隔を空けて中間板と補助地板とが順に取り付けられており、本実施例においては、シャッタ地板１と中間板との間が後羽根群の羽根室となり、中間板と補助地板との間が先羽根群の羽根室となっている。また、中間板と補助地板にも、略中央部にシャッタ地板１の開口部１ａと類似の開口部が形成されており、それらの三つの開口部を重ね合わせることによって、長方形を横長にした露光開口が形成されるようになっている。尚、本実施例の補助地板については詳しく後述するが、中間板についは特に特徴的な構成を要しないので、図示とその詳しい説明を省略する。
【００１８】
そこで、先ず、図１を用いて後羽根群の構成を説明する。後羽根群は、二つのアーム４，５と、それらの長さ方向に順に枢支された４枚の羽根６，７，８，９とで構成されていて、最先端に枢支された羽根９がスリット形成羽根となっている。そして、アーム４，５は、夫々シャッタ地板１の軸１ｍ，１ｖに回転可能に取り付けられている。また、アーム４には、長孔４ａが形成されていて、そこには、上記した図示していない後羽根用駆動部材の駆動ピンが嵌合されている。
【００１９】
このような二つのアーム４，５と４枚の羽根６，７，８，９との各枢支構成は、従来と同じであって、リベット部品である連結軸を、アーム４，５と羽根６，７，８，９とに形成されている所定の孔に、アーム４，５側から挿入し、その挿入端を、かしめ加工によって羽根６，７，８，９に固定させている。そして、アーム４，５が、羽根６，７，８，９よりもシャッタ地板１側に配置されているので、各連結軸の頭部は、アーム４，５からシャッタ地板１側に突き出ている。
【００２０】
ここで、周知ではあるが、上記した肉厚部１ｐの存在理由について説明しておく。既に説明したように、後羽根群は、図示していない中間板とシャッタ地板１との間に配置されている。そのため、中間板とシャッタ地板１との間隔は、シャッタ地板１の左側の位置においては、羽根６，７，８，９の厚さのほか、アーム４，５の厚さや、各羽根を取付けるための連結軸の頭部の突出し量を考慮して決める必要がある。
【００２１】
しかし、そのことを基準にして、中間板とシャッタ地板１の間隔を等間隔にすると、少なくとも開口部１ａの右側においては、羽根６，７，８，９しか存在しないので、間隔が大き過ぎてしまい、羽根が光軸の軸方向に変位したり撓み易くなってしまう。そのため、多くの場合には、その右側の位置に、羽根押さえ板と称されている部材を配置し、間隔が狭くなるようにしているが、本実施例においては、その代わりに、シャッタ地板１に肉厚部１ｐを一体成形にて形成するようにしている。しかしながら、本発明は、肉厚部１ｐを形成せず、そのような羽根押さえ部材を配置したものにも適用することが可能である。
【００２２】
次に、中間板の背面側に配置されている先羽根群と補助地板の構成を説明する。図４は、上記したシャッタ地板１と、後羽根群と、中間板とを取り外し、先羽根群のセット状態を示したものである。本実施例の補助地板１０は、シャッタ地板１と同様に合成樹脂製であって、略中央部に、既に説明した開口部１０ａが形成されている。また、その開口部１０ａの左側の領域には二つの円弧状をした長孔１０ｂ，１０ｃと、円形をした孔１０ｄ，１０ｅ，１０ｆ，１０ｇが形成されている。そのうち、孔１０ｅ，１０ｆは、シャッタ地板１の軸１ｍ，１ｖの先端が嵌合する孔であって、明示されていないが、このような孔は、軸１ｋ，１ｕに対しても形成されている。
【００２３】
開口部１０ａの右側の領域には、二つの軸１０ｈ，１０ｉが立設され、また、二つのフック部１０ｊ，１０ｋが形成されている。そして、軸１０ｈ，１０ｉは、何れも、根元側から大径部,中径部,小径部を有している。また、開口部１０ａの３辺を囲むようにして、座ぐり部１０ｍが形成されており、開口部１０ａの右側の領域には肉厚部１０ｎが形成されている。そして、この肉厚部１０ｎは、肉厚部１ｐとは反対に表面側に隆起しており、後述する先羽根群に対して、上記した後羽根群に対する肉厚部１ｐの役目と同じ役目をしている。
【００２４】
また、開口部１０ａの左側から下側に、レール状の四つの抑制条１０ｐ，１０ｑ，１０ｒ，１０ｓが一体成形によって肉厚部として形成されている。このうち、三つの抑制条１０ｐ，１０ｑ，１０ｒは円弧状をしているが、それらは、何れも、軸１ｋ，１ｕを中心にした円弧とはならないように形成されている。また、図４では理解することができないが、四つの抑制条１０ｐ，１０ｑ，１０ｒ，１０ｓは、少なくとも図４における下方の部位が、上方から下方に向けて肉厚が徐々に厚くなるように形成されており、且つ上方の端部の面は、徐々に薄くなり補助地板１０の表面側の基準面と一致するようになっている。
【００２５】
先羽根群は、二つのアーム１１，１２と、周知の連結軸を介してそれらに枢支された４枚の羽根１３，１４，１５，１６とで構成されており、羽根１６がスリット形成羽根である。そして、この先羽根群は、上記した後羽根群を裏返したようにして配置されており、二つのアーム１１，１２が補助地板１０側となっていて、羽根１３，１４，１５，１６が図示していない中間板側となっている。従って、円形をした各連結軸の頭部は、アーム１１，１２から補助地板１０側に突き出ている。そして、アーム１１，１２はシャッタ地板１の軸１ｋ，１ｕに回転可能に取り付けられていて、アーム１１の長孔１１ａには、図示していない先羽根用駆動部材の駆動ピンが嵌合されている。
【００２６】
ここで、本実施例の組み付け方を簡単に説明しておく。先ず、図１に示すように、後羽根群のアーム４，５を、シャッタ地板１の軸１ｍ，１ｖに取付けた後、図示していない中間板の二つの孔を、シャッタ地板１の軸１ｑ、１ｓに嵌合させる。次に、先羽根群のアーム１１，１２を、シャッタ地板１の軸１ｋ，１ｕに取付ける。その後、補助地板１０の軸１０ｈ，１０ｋの中径部を、図示していない中間板の孔に嵌合させ、先端の小径部をシャッタ地板１の孔１ｇ，１ｈに嵌合させる。このとき、同時に、シャッタ地板１の軸１ｍ，１ｖの先端を、補助地板の孔１０ｅ，１０ｆに嵌合させ、軸１ｋ，１ｕの先端も、明示されていない夫々の孔に嵌合させる。
【００２７】
そして、シャッタ地板１と補助地板１０の右側においては、補助地板１０のフック部１０ｊ，１０ｋを、シャッタ地板１の係合部１ｉ，１ｊに掛け止めし、左側においては、図示していない二つのビスを、補助地板１０の背面側から孔１０ｄ，１０ｇに挿入して、シャッタ地板１の軸１ｑ，１ｓにねじ止めする。尚、このような掛け止めとねじ止めによる取付け方は、上記した特開平１０−１３３２５５号公報に記載の場合と同等である。そして、このように組み立てられた状態においては、シャッタ地板１と補助地板１０との間隔は、間座部１ｒ，１ｔと軸１０ｈ，１０ｉによって規制され、図示していない中間板は、固定状態になっていない。
【００２８】
次に、本実施例の作動を説明する。図１及び図２は、露光作動終了直後の状態を示している。このとき、シャッタ地板１の表面側で軸１ｋに回転可能に取り付けられている図示していない先羽根用駆動部材は、その駆動ピンが緩衝部材２に当接することによって時計方向への回転を阻止されている。そのため、アーム１１も、その駆動ピンによって時計方向へ回転させられた状態になっていて、先羽根群の４枚の羽根１３，１４，１５，１６は、重畳されて露光開口の下側に格納されている。そして、アーム１１は抑制条１０ｐ，１０ｑ，１０ｒの少なくとも一つに接触しており、スリット形成羽根１６は抑制条１０ｓに接触している。
【００２９】
他方、シャッタ地板１の表面側で軸１ｍに回転可能に取り付けられている図示していない後羽根用駆動部材は、その駆動ピンが緩衝部材３に当接することによって時計方向への回転を阻止されているため、アーム４も、その駆動ピンによって時計方向へ回転させられた状態になっており、後羽根群の４枚の羽根６，７，８，９は、展開されて露光開口を覆っている。そして、抑制条１ｗは、上方部よりも下方部の方が厚くなるように形成されているため、アーム５を介して４枚の羽根６，７，８，９を、図示していない中間板側に押している。そのため、羽根相互の重なり状態と、羽根６と中間板との重なり状態が密になり、それらの重なり部からの漏光が生じにくくなっている。
【００３０】
このような図１及び図２に示された状態において、フィルムの巻き上げが行われると、それに連動してシャッタのセット作動が行なわれる。それによって、先ず、上記した先羽根用駆動部材が、同じく図示されていない先羽根用駆動ばねの付勢力に抗して、反時計方向ヘ回転されていく。それによって、孔１１ａに嵌合している駆動ピンが、アーム１１を反時計方向ヘ回転させるので、先羽根群の４枚の羽根１３，１４，１５，１６は、相互の重なり量を小さくしつつ上方へ作動されていく。
【００３１】
その後、先羽根群のスリット形成羽根１６と後羽根群のスリット形成羽根９との重なり量が所定量に達すると、上記の後羽根用駆動部材が、図示していない後羽根用駆動ばねの付勢力に抗して、反時計方向ヘ回転され始める。そのため、孔４ａに嵌合している駆動ピンが、アーム４を反時計方向ヘ回転させるので、後羽根群の４枚の羽根６，７，８，９は、相互の重なり量を大きくしつつ上方へ作動されていく。
【００３２】
既に説明したように、先羽根群と後羽根群は、公差を設けた沢山の枢支部を有しているため、このセット作動中に、アームや羽根が、光軸の軸方向へ変位し易くなっている。そこで、そのような変位が生じた場合には、先羽根群の場合には、アーム１１が抑制条１０ｐ，１０ｑ，１０ｒに摺接し、また、アーム１２が抑制条１０ｐ，１０ｑに摺接して、その変位を抑制されるようになっている。また、後羽根群の場合には、アーム４が抑制条１ｗ，１ｘ，１ｙに摺接し、アーム５が抑制条１ｗ，１ｘに摺接して、抑制されるようになっている。
【００３３】
しかも、本実施例の場合には、円弧状の抑制条１０ｐ，１０ｑ，１０ｒが、何れも軸１ｋ，１ｕを中心とした円弧とならないように形成されされており、また、抑制条１ｗ，１ｘ，１ｙも、軸１ｍ，１ｖを中心とした円弧とならないように形成されているため、それらの抑制条に対する各アームの摺接部位が徐々に変わっていくことになり、同一部位が常に摺接する構成に比較して、各アームに対して磨耗等による傷が付きにくくなっている。
【００３４】
このようなことは、各羽根についても言えることであり、先羽根群の羽根１３，１４，１５，１６の場合には、少なくとも抑制条１０ｓと摺接する可能性があるし、後羽根群の羽根６，７，８，９の場合には、少なくとも抑制条１ｚに摺接する可能性があって、各羽根の変位を抑制され得るようになっているが、それらの場合にも、抑制条１０ｓ，１ｚが各羽根の作動方向と一致しないように形成されているため、それらの抑制条に対する各羽根の摺接部位が徐々に変わるようになっている。従って、各羽根に対して磨耗等による傷が付きにくくなっている。
【００３５】
このようにして、セット作動が行なわれて行き、先羽根群の４枚の羽根１３，１４，１５，１６が展開状態となって露光開口を完全に覆い、後羽根群の４枚の羽根６，７，８，９が重畳状態となって露光開口の上方位置に格納された段階で、上記した図示していない各駆動部材の回転が停止され、セット作動が終了する。そして、後羽根群のセット状態は図３に示されており、先羽根群のセット状態は図４に示されている。尚、本実施例においては、このセット状態において、アーム４，５が抑制条１ｗに接し得ないようになっているが、円弧の軌跡を変えることによって、抑制条１ｗを上方へ長く形成し、アーム４，５が接し得るようにしても差し支えなく、同様にして抑制条１０ｐを上方へ長く形成し、アーム１２をも接し得るようにしても構わない。
【００３６】
このようなセット状態において、カメラのレリーズボタンが押されると、先ず、図示していない先羽根用駆動部材が時計方向へ回転され、その駆動ピンがアーム１１を時計方向へ回転させて、先羽根群に露光作動を行なわせる。そのため、先羽根群の４枚の羽根１３，１４，１５，１６は、相互の重なり量を大きくしつつ、スリット形成羽根１６のスリット形成縁によって、露光開口を開いていくが、この作動は図示していない先羽根用駆動ばねの強力な付勢力よって行なわれるので、光軸の軸方向に対するアーム１１，１２や羽根１３，１４，１５，１６の変位は、セット時の比ではなく、撓まされてしまうこともある。しかしながら、この場合にも、その変位や撓みは、抑制条１０ｐ，１０ｑ，１０ｒ，１０ｓによって好適に抑制され、且つそれらの形状によってアーム１１，１２や羽根１３，１４，１５，１６に傷が付きにくいようになっている。
【００３７】
そして、本実施例の場合は、図５に示された状態になったときには、抑制条１０ｐ，１０ｑ，１０ｒ，１０ｓによって、先羽根群に制動がかかるようになっている。即ち、既に説明したように、抑制条１０ｐ，１０ｑ，１０ｒ，１０ｓの肉厚が、下方に進むにしたがって厚くなるように形成されているので、アーム１１，１２が図示していない中間板側に変位させられ、羽根１３，１４，１５，１６を中間板に押し付けるようにしていくからである。その後、先羽根群は、図示していない先羽根用駆動部材の駆動ピンが緩衝部材２に当接して停止するが、抑制条１０ｐ，１０ｑ，１０ｒ，１０ｓは、このときの衝撃で生じる先羽根群の変位や撓みにも抑制効果を発揮する。
【００３８】
尚、本実施例の場合には、四つの抑制条１０ｐ，１０ｑ，１０ｒ，１０ｓの全部を、下方に進むにしたがって肉厚が厚くなるように形成しているが、その形状は下方部の所定の長さ範囲にだけ採用するようにしてもよいし、場合によっては、一部の抑制条にだけ採用しても差し支えない。また、抑制条によって制動効果を得る必要のない場合は、そのような形状を採用する必要がないのは言うまでもない。そして、その場合には、抑制条１０ｐの肉厚が上方へ進むにしたがって厚くなるように形成しておくと、後羽根群の場合と同様に、露光開口を覆っている状態において、羽根相互の重なり部などを密接させることが可能になる。
【００３９】
上記のようにして、先羽根群が露光作動を開始してから所定時間が経過すると、今度は、図示していない後羽根用駆動部材が時計方向へ回転され、その駆動ピンがアーム４を時計方向へ回転させ、後羽根群に露光作動を行なわせる。そのため、後羽根群の４枚の羽根６，７，８，９は、相互の重なり量を小さくしつつ、スリット形成羽根９のスリット形成縁によって、露光開口を閉じていく。そして、その作動開始直後の状態が図６に示されている。
【００４０】
また、この後羽根群の露光作動は、図示していない後羽根用駆動ばねの強力な付勢力よって行なわれるので、先羽根群の場合と同様に、アーム４，５や羽根６，７，８，９が大きく変位されたり撓まされたりしようとするが、この場合にも、その変位や撓みは、抑制条１ｗ，１ｘ，１ｙ，１ｚによって好適に抑制され、且つそれらの形状によってアーム４，５や羽根６，７，８，９には傷が付きにくいようになっている。
【００４１】
そして、本実施例の場合は、抑制条１ｗの肉厚が、下方に進むにしたがって厚くなるように形成されているので、先羽根群の場合と同様にしてに制動がかかるようになっている。その後、後羽根群は、図示していない後羽根用駆動部材の駆動ピンが緩衝部材３に当接して停止するが、抑制条１ｗは、このときの衝撃で生じる後羽根群の変位や撓みにも抑制効果を発揮する。このようにして、露光作動の終了した状態が、後羽根群については図１に示された状態であり、先羽根群については図２に示された状態である。
【００４２】
尚、抑制条１ｗの場合にも、下方に進むにしたがって肉厚が厚くなるように形成しているが、その形状は下方部の所定の長さ範囲にだけ採用してもよいし、抑制条１ｗによって制動効果を得る必要のない場合や、露光開口を覆っているときに羽根の重なり部の密着性をよくする必要のない場合は、そのような形状を採用する必要がない。また、本実施例においては、シャッタ地板１と補助地板１０の両方を合成樹脂製とし、且つその両方の地板に抑制条を形成しているが、何れか一方の地板にだけ形成することを妨げるものではない。
【００４３】
【発明の効果】
以上のように、本発明においては、羽根群を構成しているアームや羽根が、作動中に、光軸の軸方向に変位したり撓んだりするのを抑制するために、合成樹脂製の地板にレール状の抑制条を一体成形で肉厚に形成し、しかも、その抑制条の形状を、羽根群の作動につれて、アームや羽根の異なる部位が摺接し得るようにしたので、アームや羽根に傷などが付きにくいという特徴を有している。
【図面の簡単な説明】
【図１】被写体側、即ち撮影レンズ側から視た実施例の平面図であって、後羽根群の露光作動終了直後の状態を示したものである。
【図２】先羽根群の露光作動終了直後の状態を示した実施例の平面図である。
【図３】後羽根群のセット状態を示した実施例の平面図である。
【図４】先羽根群のセット状態を示した実施例の平面図である。
【図５】先羽根群の露光作動の途中の状態を示した実施例の平面図である。
【図６】後羽根群の露光作動の途中の状態を示した実施例の平面図である。
【符号の説明】
１                      シャッタ地板
１ａ，１０ａ            開口部
１ｂ，１ｃ，４ａ，１０ｂ，１０ｃ，１１ａ  長孔
１ｄ，１ｅ，１ｆ，１ｇ，１ｈ，１０ｄ，１０ｅ，１０ｆ，１０ｇ  孔
１ｉ，１ｊ              係合部
１ｋ，１ｍ，１ｑ，１ｓ，１ｕ，１ｖ，１０ｈ，１０ｉ  軸
１ｎ，１０ｍ            座ぐり部
１ｐ，１ｎ              肉厚部
１ｒ，１ｔ              間座部
１ｗ，１ｘ，１ｙ，１ｚ，１０ｐ，１０ｑ，１０ｒ，１０ｓ  抑制条
２，３                  緩衝部材
４，５，１１，１２      アーム
６，７，８，９，１３，１４，１５，１６  羽根
１０                    補助地板
１０ｊ，１０ｋ          フック部
【図１】
0004280373.tif 000002
【図２】
0004280373.tif 000003
【図３】
0004280373.tif 000004
【図４】
0004280373.tif 000005
【図５】
0004280373.tif 000006
【図６】
0004280373.tif 000007